(57)【要約】【課題】剛性が補強されたプラズマディスプレイパネルを提供する。【解決手段】プラズマディスプレイパネルは、画像を具現するパネル組立体と、パネル組立体と結合され、パネル組立体を支持するシャーシベースと、シャーシベースの剛性を補強させるためにシャーシベース上に形成され、シャーシベースと一体をなす補強部と、を備える。これにより、シャーシベースの剛性を保持しつつ、シャーシベースの製造工程と補強部材の製造工程とが統合された１つの工程により、作業効率性を向上させると同時に、製造コストの節減を達成しうる。【選択図】図１
2006338006.tif 000002
【特許請求の範囲】
【請求項１】
画像を具現するパネル組立体と、
前記パネル組立体と結合され、前記パネル組立体を支持するシャーシベースと、
前記シャーシベースの剛性を補強させるために前記シャーシベース上に形成され、シャーシベースと一体をなす補強部と、を備えるプラズマディスプレイパネル。
【請求項２】
前記補強部は、前記シャーシベースの表面から一方向に突出したビード状であることを特徴とする請求項１に記載のプラズマディスプレイパネル。
【請求項３】
前記補強部には、外部の結合部材を締結するための締結孔が形成されることを特徴とする請求項１に記載のプラズマディスプレイパネル。
【請求項４】
前記補強部には、スクリュー締結のためのボスが、前記補強部と一体をなして形成されることを特徴とする請求項１に記載のプラズマディスプレイパネル。
【請求項５】
前記シャーシベースは、プラスチック材から成形されることを特徴とする請求項１に記載のプラズマディスプレイパネル。
【請求項６】
画像が具現されるパネル組立体と、
複数の開口、及び前記開口同士に挟まれたリブを備えるシャーシベースと、
前記シャーシベースに結合された回路基板と、
前記シャーシベースの剛性を補強するためにシャーシベース上に形成され、前記シャーシベースと一体をなす補強部と、を備えるプラズマディスプレイパネル。
【請求項７】
前記補強部は、シャーシベースの表面から一方向に向けて突出したビード状であることを特徴とする請求項６に記載のプラズマディスプレイパネル。
【請求項８】
前記補強部には、外部の結合部材を締結するための締結孔が形成されることを特徴とする請求項６に記載のプラズマディスプレイパネル。
【請求項９】
前記補強部には、スクリュー締結のためのボスが、前記補強部と一体をなすように形成されることを特徴とする請求項６に記載のプラズマディスプレイパネル。
【請求項１０】
前記シャーシベースは、プラスチック材から成形されることを特徴とする請求項６に記載のプラズマディスプレイパネル。
【請求項１１】
前記回路基板は、前記開口部の縁に沿って位置され前記リブ上に装着されることを特徴とする請求項６に記載のプラズマディスプレイパネル。
【発明の詳細な説明】
【技術分野】
【０００１】
本発明は、プラズマディスプレイパネルに関し、さらに詳細には、シャーシベースと補強部材とが一体型に形成されたプラズマディスプレイパネルに関する。
【背景技術】
【０００２】
従来のプラズマディスプレイパネル（ＰＤＰ）は、前面基板と背面基板とが結合されたパネル組立体を備える。パネル組立体の背面には、接着テープが付着させられ、接着テープの上には、シャーシベースが結合される。また、パネル組立体とシャーシベースとの間には、放熱シートが介在させられる。放熱シートは、パネル組立体から発生した熱をシャーシベースに伝達させて放熱を促進させるか、パネル組立体において局部的に熱が集中する現象を防止する役割を果たす。シャーシベースの後方には、各種回路基板が装着されている。
【０００３】
従来のＰＤＰは、ＴＣＰ（Ｔａｐｅ  Ｃａｒｒｉａｇｅ  Ｐａｃｋａｇｅ）のような信号伝達部によりバッファボード（ｂｕｆｆｅｒ  ｂｏａｒｄ）のような回路基板と電気的に連結される。ＴＣＰには、複数のＩＣが実装されており、ＴＣＰは折り曲げられてシャーシ補強部材上に装着される。また、ＩＣのような回路素子の上には、カバープレートが装着されている。
【０００４】
一方、従来のＰＤＰにおいては、回路素子から大量の熱が発生するが、発生した熱はシャーシ補強部材を通ってシャーシベースに放出されるか、あるいは回路素子の上面に接触する空気を通じて直接的に放出される。
【０００５】
この際、シャーシベースには、ブラケットのような補強部材が設置される。前記ブラケットは、シャーシベースとは別途に製作された後、接合、螺合、またはＴＯＸ（登録商標）のような結合方法によってシャーシベースの一面に固定される。
【０００６】
しかし、従来は、シャーシベースを製造する工程と、ブラケットを製造する工程とが別々であり、シャーシベースとブラケットとを後の工程で接合しなければならない。したがって、品質上の問題や材料費の面で、単一部品として製造するのに比べて、生産性が低くなる。特に、シャーシベースとブラケットとの結合状態が不完全である場合には、結合部位に集中する応力によって、ブラケットが設けられた部分が破損する虞がある。
【発明の開示】
【発明が解決しようとする課題】
【０００７】
本発明は、前記問題点を解決するためのものであって、シャーシベースの強度を保持しつつ、シャーシベースの製造工程と補強部材の製造工程とを１つの工程に統合して、作業の効率性を向上させると同時に製造コストを節減して、軽量化されたシャーシベースを提供することをその目的とする。
【課題を解決するための手段】
【０００８】
前記目的を達成するため、本発明の一実施形態によるプラズマディスプレイは、画像を具現するパネル組立体と、前記パネル組立体と結合され、前記パネル組立体を支持するシャーシベースと、前記シャーシベースの剛性を補強させるために前記シャーシベース上に形成され、シャーシベースと一体をなす補強部と、を含む。
【０００９】
また、前記補強部は、前記シャーシベースの表面から一方向に突出したビード状であることを特徴とする。
【００１０】
また、前記補強部には、外部の結合部材を締結するための締結孔が形成されうることを特徴とする。
【００１１】
また、前記補強部には、スクリュー締結のためのボスが、前記補強部と一体をなして形成されうることを特徴とする。
【００１２】
本発明の他の実施形態によるＰＤＰは、画像が具現されるパネル組立体と、複数の開口及び前記開口同士を連結するリブを備えるシャーシベースと、前記シャーシベースに結合された回路基板と、前記シャーシベースの剛性を補強するためにシャーシベース上に形成され、前記シャーシベースと一体をなす補強部と、を含む。
【００１３】
また、前記補強部は、シャーシベースの表面から一方向に向けて突出したビード状であることを特徴とする。
【００１４】
また、前記回路基板は、前記開口部の縁に沿って位置されリブ上に装着されることを特徴とする。
【発明の効果】
【００１５】
本発明の一実施形態によるシャーシベースを有するＰＤＰは、次のような効果を奏する。
【００１６】
シャーシベースの強度を保持しつつ、シャーシベースの製造工程と補強部材の製造工程とが統合された１つの工程により、作業の効率性を向上させると同時に原価節減を確保しうる。
【発明を実施するための最良の形態】
【００１７】
以下、図面を参照して本発明の実施形態を詳細に説明する。
【００１８】
図１は、本発明の一実施形態によるシャーシベース１０を示している。
【００１９】
図面を参照すれば、シャーシベース１０は、平板型であり、多様な大きさと形状とを有する複数個の開口１１を備えている。前記開口１１は、前記シャーシベース１０上に装着される回路基板の形状に対応すべく形成される。また、回路基板は、隣接する前記開口１１同士に挟まれた部分であるリブ１２上に、ボスなどを介して装着される。
【００２０】
前記シャーシベース１０は、従来使われているアルミニウム材からも製造されうるが、ＰＤＰ軽量化の要請に応じてプラスチック材から製造されることが望ましい。
【００２１】
この際、前記シャーシベース１０には、別途準備された補強部材が取り付けられる代わりに、ビード部１７が形成されている。前記ビード部１７は、前記シャーシベース１０の剛性を補強する補強部としての役割を果たす。前記ビード部１７は、前記シャーシベース１０の成形時に、シャーシベース１０と一体となって射出ないし成形されることが望ましい。
【００２２】
図２及び図３は、シャーシベース１０をそれぞれ後方及び前方から見た時の形状を示す。
【００２３】
図２は、シャーシベース１０を後方から見た時のビード部１７の形状を示す図面であって、図示されているように、ビード部１７は後方に突出した形状をなしている。
【００２４】
一方、図３は、シャーシベース１０を前方、すなわち、パネルが装着される方向から見た時のビード部１７の形状を示す図面であって、図示されているように、ビード部１７は窪んだ形状をなしている。
【００２５】
この際、円形またはスリット形など多様な形状の締結孔１９が、前記ビード部１７内に設けられている。前記締結孔１９は、前記シャーシベース１０と結合されるボスなどの外部の結合部材を締結するために形成されるものであって、必要に応じて多様な形状をなし、複数個形成されうる。また、前記ビード部１７には、スクリュー締結のためのボスが、ビード部１７と一体をなして形成されても良い。
【００２６】
前述したような本発明のシャーシベースによれば、ビード加工で形成された補強部によって前記シャーシベースの剛性が向上し、前記シャーシベースの反り変形が防止されうる。
【００２７】
一方、図１〜図３では、シャーシベース１０は、複数個の開口１１と、前記開口１１同士に挟まれた部分であるリブ１２を含むと示されているが、これは本発明の望ましい一実施形態に過ぎない。つまり、補強部が別途の製作物として製造されて前記シャーシベース１０に結合される代わりに、ビード部が前記シャーシベース１０の平板と一体をなすように形成され、ビード部によって前記シャーシベース１０の剛性が補強される構造であれば、どのような構造も本発明の技術的思想の範囲内に属することになる。
【００２８】
本発明は、図面に示された実施形態を参考にして説明されたが、これは例示的なものに過ぎず、当業者ならば、これにより多様な変形及び均等な他の実施形態が可能であるという点を理解できるであろう。したがって、本発明の真の技術的保護範囲は、特許請求の範囲の技術的思想によって決定されるべきである。
【産業上の利用可能性】
【００２９】
本発明は、プラズマディスプレイパネル関連の技術分野に好適に適用されうる。
【図面の簡単な説明】
【００３０】
【図１】本発明の一実施形態による補強部を備えたシャーシベースを示す斜視図である。
【図２】図１のシャーシベースの背面を示す拡大図である。
【図３】図１のシャーシベースの前面を示す拡大図である。
【符号の説明】
【００３１】
１０    シャーシベース、
１１    開口、
１２    リブ、
１７    ビード部。
【図１】
2006338006.tif 000003
【図２】
2006338006.tif 000004
【図３】
2006338006.tif 000005